(57)【要約】【課題】電子的なアンケート調査が行える集合住宅用インターホンシステムにおいて、アンケート調査の実施者側からはアンケート回答者が特定できないようにする。【解決手段】住宅情報端末１３のそれぞれは、インターホン回線１２および制御装置１１を経由して広域ネットワーク２に接続可能であり、所定手順の操作を受け付けると、電子掲示板情報の要求信号を、インターホン回線１２および制御装置１１を通じて広域ネットワーク２上のサーバ装置３に送出して、サーバ装置３から受信した電子掲示板情報を表示部１３ａに表示させる制御部１３ｂを備えており、前記電子掲示板情報が前記住宅情報端末宛のアンケート記事である場合には、前記アンケート記事に対してなされた回答操作に基づいて回答情報を生成して、インターホン回線１２および制御装置１１を経由してサーバ装置３に送信する。【選択図】図１
2018113070.tif 000002
【特許請求の範囲】
【請求項１】
各住宅の住宅情報端末をインターホン回線に接続して通話信号を伝送させる集合住宅用インターホンシステムにおいて、
前記インターホン回線を導出させた制御装置を有し、前記制御装置が前記通話信号を制御する構成とされており、
住宅情報端末のそれぞれは、
前記インターホン回線および前記制御装置を経由して広域ネットワークに接続可能であり、
所定手順の操作を受け付けると、電子掲示板情報の要求信号を、前記インターホン回線および前記制御装置を通じて前記広域ネットワーク上のサーバ装置に送出して、そのサーバ装置から受信した電子掲示板情報を表示部に表示させる制御部を備えており、
前記電子掲示板情報が前記住宅情報端末宛のアンケート記事である場合には、前記アンケート記事に対してなされた回答操作に基づいて回答情報を生成して、前記インターホン回線および前記制御装置を経由して前記サーバ装置に送信する集合住宅用インターホンシステム。
【請求項２】
前記住宅情報端末の表示部において、前記アンケート記事に対する回答画面に、回答を選択させるためのボタンを表示させる請求項１に記載の集合住宅用インターホンシステム。
【発明の詳細な説明】
【技術分野】
【０００１】
本発明は、制御装置の制御動作により、各住宅の住宅情報端末を該制御装置から導出させたインターホン回線に接続して通話信号を伝送させる集合住宅用インターホンシステムの改良に関する。
【背景技術】
【０００２】
近時、上記のような集合住宅用インターホンシステムにおいて、電子掲示板を利用してアンケート調査を行う技術が提案されている。
【０００３】
たとえば次の特許文献１には、集合住宅用インターホンシステムにおいて、管理人室親機より居室親機に対してアンケート画像を送信して、居室親機はアンケートに対する回答の選択を受け付けて回答情報を管理室親機に返信することの記載がある。
【先行技術文献】
【特許文献】
【０００４】
【特許文献１】特開2010-074457号公報
【発明の概要】
【発明が解決しようとする課題】
【０００５】
しかしながら、上記特許文献１に記載されているようなアンケート調査では、回答があった住宅と回答がなかった住宅は区別できるが、アンケート記事の既読、未読は把握できなかった。そこで本発明は、住戸毎にアンケート記事を含めた電子回覧板の記事の未読、既読が把握できるようにした集合住宅用インターホンシステムを提供することを目的とする。
【課題を解決するための手段】
【０００６】
本発明は、各住宅の住宅情報端末をインターホン回線に接続して通話信号を伝送させる集合住宅用インターホンシステムにおいて、前記インターホン回線を導出させた制御装置を有し、前記制御装置が前記通話信号を制御する構成とされており、住宅情報端末のそれぞれは、前記インターホン回線および前記制御装置を経由して広域ネットワークに接続可能であり、所定手順の操作を受け付けると、電子掲示板情報の要求信号を、前記インターホン回線および前記制御装置を通じて前記広域ネットワーク上のサーバ装置に送出して、そのサーバ装置から受信した電子掲示板情報を表示部に表示させる制御部を備えており、前記電子掲示板情報が前記住宅情報端末宛のアンケート記事である場合には、前記アンケート記事に対してなされた回答操作に基づいて回答情報を生成して、前記インターホン回線および前記制御装置を経由して前記サーバ装置に送信することを特徴とする。
【発明の効果】
【０００７】
本発明では、住宅情報端末が電子掲示板情報の取得信号を前記サーバ装置に記録させるようにしているので、管理者はサーバ装置を操作するだけで、住宅毎に電子掲示板の記事やアンケート記事の既読、未読の状態が把握できる。そのため記事の配信期間等を適切に設定できるようになる。
【図面の簡単な説明】
【０００８】
【図１】本発明を適用した集合住宅用インターホンシステムの例を示したシステム図である。
【図２】住宅情報端末の例の正面図である。
【図３】記事取得状況一覧表の例である。
【図４】集合住宅情報システムの基本動作の例を示したフロー図である。
【図５】（ａ）〜（ｆ）は、住宅情報端末における各種表示画面の例である。
【図６】（ａ）〜（ｃ）はそれぞれ、住宅情報端末、ゲートウェイ装置、サーバ装置のプロトコルスタックの構成図である。
【図７】インターホンプロトコルによる通信データの概略構造の例を示すフォーマット図である。
【発明を実施するための形態】
【０００９】
本発明に係る集合住宅用インターホンシステムは、インターホンシステムをベースとして、そこに火災等に対するセキュリティサービスや、電子掲示板等の情報サービスを付加したものである。
【００１０】
図１に示すように、実施形態として例示するシステム１は、システム全体を制御する制御装置１１より棟内回線（インターホン回線）１２が集合住宅棟の各住宅、共用部、管理人室まで敷設され、この回線に、住宅情報端末１３等の端末装置が分岐器１４を介して接続されている。
【００１１】
棟内回線１２は、インターホンシステムにおいて不可欠な通話信号、映像信号、制御信号等がパケット方式で伝送される。この回線に使用されるケーブルの種別に特に制限はなく、必要な通信帯域が確保できるならば、安価なツイストペアのケーブルとしてもよい。
【００１２】
この例では、制御装置１１から４系統の棟内回線１２を導出させ、それによって住宅情報端末１３を接続する回線、管理人室インターホン１５を接続する回線、ロビーインターホン１６を接続する回線、ゲートウェイ装置１７を接続する回線を分離した形態としている。このような形態とすれば、例えばロビーインターホン１６のみ棟内回線１２より電源を供給する構成等も可能になる。しかしながら制御装置１１はルータ機能（ハブ機能）を有するので、特別な要請がなければ、端末装置の種別ごとに回線を分離する必要は特にない。また回線の系統数も特に制限されない。
【００１３】
住宅情報端末１３は、通信部１３ａ、制御部１３ｂ、表示部１３ｃ、操作部１３ｄ、音声部１３ｅ等を備え、ドアホン１３ｈやセキュリティセンサ１３ｉが接続されている。通信部１３ａは、棟内回線１２に対して規定されたインターホンプロトコルに従って信号伝送を行う。制御部１３ｂはブラウザ１３ｆによって、トップ画面、通話画面、セキュリティ画面、情報サービス画面等を表示部１３ｃに表示させ、更に状態ランプも点灯制御する。
【００１４】
図２に示すように、表示部１３ｃは例えばカラータッチパネルであり、各種フォントや映像等が表示できる。音声部１３ｅはスピーカ、マイク等からなる。操作部１３ｄは、物理的なボタンあるいはタッチパネルに適宜表示されるソフト的なボタンからなり、後述するアンケートに対する回答操作部１３ｇを構成する。物理的なボタンとして、復旧／警報停止ボタン、火災確認ボタン、メニューボタン、終了ボタン、開錠ボタン、通話ボタンが設けられているが、メニューボタンに新着情報を示すランプを内蔵させてもよい。
【００１５】
ゲートウェイ装置１７は、棟内回線１２と広域ネットワーク２とを跨いだ信号伝送、具体的には住宅情報端末１３とサーバ装置３との間の信号伝送を中継する。そのため棟内回線１２に対応した通信部１７ａ、棟内回線１２と広域ネットワーク２との間でプロトコルを双方向に変換する中継部１７ｂ、広域ネットワーク２に対応した通信部１７ｃを備えている。またゲートウェイ装置１７は、住宅情報端末１３あるいはメンテナンス用端末からアクセスされるウェブサーバ部１７ｄも備える。ウェブサーバ部は、システム１のメンテナンス用のホームページを提供する。
【００１６】
メンテナンス用ホームページは、ゲートウェイ装置１７に着脱自在に接続したメンテナンス用端末４等によってアクセスされる。なおサーバ装置３のＵＲＬは、住戸情報端末１３に予め設定されているが、このメンテナンス用ホームページを通じて書換えも可能である。
【００１７】
サーバ装置３は、広域ネットワーク２に対応した通信部３ａ、ウェブサーバ部３ｂ、記憶部３ｃ、住戸毎に各記事の取得状況を一覧表示する配信確認部３ｄ等を備えている。記憶部３ｃには、電子掲示板の記事等を構成するＨＴＭＬファイルや、画像ファイル、この電子掲示板を利用する住戸の識別情報等が格納されている。また記憶部３ｃは、住宅情報端末１３との通信ログがウェブサーバ部３ｂによって保存される。
【００１８】
ここでシステム１の基本動作を簡単に説明する。すなわちシステム１は、主たる機能の一つとしてインターホン機能を提供する。すなわちロビーインターホン１６で部屋番号を指定した呼出操作がなされると、対応した住宅の住宅情報端末１３では呼出音が鳴動して来訪者の映像が表示部１３ｃに映される。その住宅情報端末１３で応答操作がなされると、ロビーインターホン１６との間で相互通話が可能になる。住宅情報端末１３で所定操作をすればロビー扉の電気錠１８が解錠できる。また住宅情報端末１３と管理人室インターホン１５との間での呼出通話、住宅情報端末１３同士の呼出通話も提供される。これらの相互通話は一方の終了操作または所定時間の経過によって遮断される。
【００１９】
またシステム１は、セキュリティ機能を有する。たとえば住宅情報端末１３は、住宅内のセキュリティセンサ１３ｉが作動すれば警報音を鳴動させる。またモード切替操作によってセキュリティセンサ１３ｉをオン、オフすることもできる。管理人室インターホン１５は警報監視盤としての機能を有する。すなわち管理人室インターホン１５は、棟内共用部および各住宅のセキュリティセンサ１３ｉの作動状態、住宅情報端末１３の操作状態等を監視して、異常を検知したときには、棟内共用部に設置された音響装置（図示なし）や、各住宅の住宅情報端末１３を作動させて地区鳴動や全棟鳴動等を行う。
【００２０】
またシステム１は、棟外の広域ネットワーク２上のサーバ装置３によって各住宅に電子掲示板の記事を配信し、アンケートの回答情報を集計する情報サービス機能も有する。この点は大きな特徴なので、以下にその情報サービスについて詳細に説明する。電子掲示板の記事は、単ページのものでも複数ページのものでもよい。また電子掲示板の記事は、集合住宅の居住者を対象としたアンケートを含んでもよい。
【００２１】
住宅情報端末１３とサーバ装置３との間で信号伝送を行わせるため、棟内回線１２と広域ネットワーク２との間には、プロトコル変換等を行って信号伝送を中継するゲートウェイ装置１７が設けられている。ＶＰＮルータ５は、ゲートウェイ装置１７とサーバ装置３との間で暗号化通信を提供するために設けられているが、必須ではなく省略してもよい。
【００２２】
情報サービスには、住宅情報端末１３とサーバ装置３との間での信号伝送が必要であるが、本発明では、ＨＴＴＰによって伝送を行うことにする。ただしＨＴＴＰは、クライアントのＨＴＴＰリクエストに対して、サーバからＨＴＴＰレスポンスが返信されるだけのシンプルなプロトコルであり、サーバから自発的な情報発信はできない。そこでサーバから情報発信するのと実質的に等価な機能を実現するため、クライアントがサーバをポーリングする方法を提案する。すなわち住宅情報端末１３はダミーのＨＴＴＰリクエストをサーバ装置３に定期的に送信することとし、サーバ装置３が適宜その応答の中に発信したい情報を埋め込む。
【００２３】
サーバ装置３は、電子掲示板の新規記事（アンケートであってもよい）が管理者によって登録されると、新着情報通知を生成して住宅情報端末１３に自動的に発信する。管理者はたとえばマンション管理組合、あるいは自治会等の担当者である。新着情報通知の配信は、住宅情報端末１３のポーリングに対する応答という形で行われる。電子掲示板の記事はたとえばＨＴＭＬ文書であり、ヘッドライン（タイトル）と記事本文とを含むが、更に、ＪＰＥＧ画像等への参照を含んでもよい。またアンケートは、アンケート内容を説明する記事本文と回答画面とによって構成するとよい。回答画面には回答を選択させるための回答ボタン（回答操作部１３ｇとなる）を含めるとよい。住宅情報端末１３は、そのＨＴＭＬ文書から記事画面等を生成する。新着情報通知には、記事の識別情報（ＵＲＬ）と、ヘッドラインとを含めるとよい。
【００２４】
住宅情報端末１３は、新着情報通知を受信すると、着信音を鳴動させるとともに、通知画面をポップアップ表示させる。また新着情報ランプを点滅させる。通知画面には、記事のヘッドラインが表記されるとよい。アンケートであればヘッドラインに、その記事がアンケートである旨を明記するとよい。その場合、新着情報通知は、アンケート通知である。またその画面には記事本文を閲覧するための確認ボタンも配置されるとよい。ポップアップ表示は所定時間で消えてもよい。このようなポップアップ表示を行えば、すぐにその記事が閲覧される可能性が高まるので、集合住宅における情報伝達が迅速化できる。
【００２５】
また住宅情報端末１３のトップ画面から所定手順の操作がなされると、最近登録された記事のヘッドラインが一覧表示される。この一覧表示画面には、所望の記事を閲覧するための詳細ボタンが記事毎に配置されている。一覧表示画面は、サーバ装置３からその都度読み出して表示してもよいが、住宅情報端末１３がそれまでに受信した新着情報通知から予め生成したものを表示してもよい。
【００２６】
住宅情報端末１３は、ポップアップ表示された通知画面の確認ボタンあるいは一覧表示画面中の詳細ボタンの操作がなされると、その記事の識別情報を含ませたＨＴＴＰリクエスト、つまり電子掲示板情報要求信号をサーバ装置３に送信する。サーバ装置３はそのＨＴＴＰリクエストを受信すると、対応した記事を含ませたＨＴＴＰレスポンスを返信する。住宅情報端末１３はそのＨＴＴＰレスポンスを受信すると、そこに含まれているヘッドラインと記事本文とを表示する。
【００２７】
その要求信号には住宅識別情報が含まれており、サーバ装置３は当然に住宅情報端末１３との通信記録をログとして保存する。換言すれば、住宅情報端末１３は、自身の掲示板記事の取得行為を該サーバ装置１３に記録させる。なお住宅情報端末１３は、掲示板記事の表示が行われたときに、表示済信号をサーバ装置１３に送信して記録を取らせてもよい。
【００２８】
サーバ装置３の管理者は、所定の操作することによって、そのログを自由に閲覧できる。またサーバ装置３に、そのログを自動的に解析して住戸毎に各記事の取得状況を一覧表示する配信確認部３ｄを設けておけば、住宅毎に記事やアンケートの既読、未読が簡単に確認できて利便である。
【００２９】
図３は、サーバ装置３が印字出力する記事取得状況一覧表の例である。この一覧表Ｔは、アンケートを指定した出力であり、アンケートの配信日、表題、配信状況（％）とともに、ゲートウェイ単位で各住宅の取得日時が一覧表示されている。このような一覧表Ｔが出力できれば、管理者は、電子掲示板の記事やアンケートの配信期間等を適切に設定できるようになる。
【００３０】
住宅情報端末１３は、その記事がアンケートであれば、そこに回答を選択させるための回答ボタン（回答操作部１３ｇ）も含めて表示し、その操作を受け付けて、回答情報を生成する。この動作は、ブラウザ１３ｆが回答画面に含まれたスクリプトを実行することでなされる。なおそのスクリプトで、その回答情報を集計するためのサーバ装置３上の集計ページを指定しておけば、複数のアンケート調査が同時に行われた場合でも、アンケート調査と集計ページとの対応関係が維持され混乱が生じない。
【００３１】
ここにＨＴＴＰリクエストは、リクエスト行（必須）と付加情報（省略可）とで構成される。この付加情報には、ブラウザの種別を通知するためのユーザエージェントフィールドを含めることができる。したがって、そのユーザエージェントフィールドの値（文字列）に棟番号、住宅番号等からなる住宅識別情報を埋め込むことにより、サーバ装置３はＨＴＴＰリクエストからその送信元の住戸を特定できる。
【００３２】
またリクエスト行は、メソッド、オブジェクトのＵＲＬ、ＨＴＴＰのバージョン番号が並んだ文字列であるが、ＨＴＴＰリクエストがＧＥＴメッソドであれば、ＵＲＬの後に「？名前=値」の形式で任意のパラメータが付記できる。よって、受付画面のＵＲＬを指定したＨＴＴＰリクエストにおいて、そのＵＲＬに付記するパラメータに回答情報を含ませることができる。あるいは、ＰＯＳＴメソッドとして、ＨＴＴＰリクエストに続くリクエストボディ内に回答情報を含ませてもよい。
【００３３】
このような方法を採用すれば、ＨＴＴＰによって住宅情報端末１３からサーバ装置３に回答情報を送信でき、集計ページに設定されているＰＨＰ（登録商標）やＰｅａｒｌ（登録商標）等のサーバサイドプログラムを起動して集計処理を行わせることができる。これらのプログラムは、ＨＴＴＰリクエストが指定するＵＲＬから、その回答情報がどのアンケートに対するものなのか判別できる。
【００３４】
図４は、システム１の本発明に関連した基本動作を時系列的に示している。
【００３５】
時刻Ｔ１〜Ｔ２では、住宅情報端末１３はポーリングによって、ダミーのＨＴＴＰリクエストを定期的に送信している。しかしこの時点では、サーバ装置３に発信すべき新着情報通知がないので、空のＨＴＴＰレスポンスが返信されている。
【００３６】
時刻Ｔ３では、サーバ装置３に電子掲示板の新規記事（アンケート）が登録されたため、その新着情報通知を自動的に生成するとともに、記事一覧表を自動的に更新している。
【００３７】
時刻Ｔ４では、サーバ装置３は、住宅情報端末１３からのダミーのＨＴＴＰリクエストに対して、その新着情報通知を含ませたレスポンスを返信するとともに、この情報交換をログに記録している。
【００３８】
時刻Ｔ５では、住宅情報端末１３は、新着情報の通知画面をポップアップ表示し、確認操作を受けて、通知された記事を指定したＨＴＴＰリクエストを送信している。サーバ装置３は、そのＨＴＴＰリクエストに対して、アンケートを含ませたレスポンスを返信するとともに、この情報交換（電子掲示板記事の取得）をログに記録している。
【００３９】
時刻Ｔ６では、住宅情報端末１３はそのレスポンスを受信して、アンケートの記事画面や回答画面を表示し、回答操作を受けて回答情報を生成し、その回答情報を含ませたＨＴＴＰリクエストをサーバ装置３に送信している。
【００４０】
時刻Ｔ７では、サーバ装置３は、そのＨＴＴＰリクエストを受けると、受付画面を含ませたＨＴＴＰレスポンスを返信する。またサーバ装置３は、この情報交換をログとして保存して、回答情報を蓄積している。
【００４１】
時刻Ｔ７では、サーバ装置３は、蓄積した回答情報を集計処理している。
【００４２】
図５の（ａ）〜（ｅ）は、住宅情報端末１３における各種表示画面の例である。
【００４３】
図５（ａ）はトップ画面Ｗ１の例である。上段部は、お知らせアイコンが配置されている。中段部は、現在のセキュリティモードを示す状態アイコン（在宅、外出等）と、モード切替ボタンとが配置されている。下段部は、呼出／伝言ボタン、情報ボタン、記録管理ボタンが配置されている。
【００４４】
図５（ｂ）は、情報サービス画面Ｗ２の例である。この画面はトップ画面の情報ボタンの操作によって呼び出される。情報サービスのサブカテゴリを呼び出すためのボタンが配置されている。
【００４５】
図５（ｃ）は、電子掲示板カテゴリに限定された記事一覧画面Ｗ３の例である。この記事一覧には、アンケートも含まれる。この画面は情報サービス画面のデジタル掲示板ボタンの操作によって呼び出される。記事のヘッドラインが一覧表示されており、そのそれぞれに対応して詳細ボタンが配置されている。
【００４６】
図５（ｄ）は、記事画面Ｗ４の例である。この画面には、回答画面Ｗ５を呼び出すためのアンケートボタンが配置されている。
【００４７】
図５（ｅ）は、回答画面Ｗ５の例である。設問毎に、「はい」、「いいえ」の回答ボタンが配置されている。
【００４８】
図５（ｆ）は、新着情報画面Ｗ５の例である。この画面は、トップ画面の表示中（消灯中を含む）に新着情報が受信されると、所定時間ポップアップ表示される。記事のヘッドラインが表記され、確認ボタンが配置されている。確認ボタンの操作によって、図５（ｄ）に示した記事画面Ｗ４が呼び出される。
【００４９】
これらの画面の中で、トップ画面Ｗ１および新着情報の通知画面Ｗ６は、その画面情報が住宅情報端末１３にローカルファイルとして予め用意されている。それ以外の情報サービス画面Ｗ２、記事一覧画面Ｗ３、記事画面Ｗ４、回答画面Ｗ５は、サーバ装置３に保存されており、住宅情報端末１３のブラウザ１３ｆによって読み出される。
【００５０】
この実施形態では、電子回覧板の記事、アンケート、回答情報等がＨＴＴＰによって伝送されているが、以下に、住宅情報端末１３とサーバ装置３との間でのＨＴＴＰによる信号伝送の仕組みを詳細に説明する。
【００５１】
図６の（ａ）〜（ｃ）に示すように、住宅情報端末１３、ゲートウェイ装置１７、サーバ装置３はそれぞれプロトコルスタックＰＳを構成している。プロトコルスタックＰＳは概念的な階層的構造であり、データ送信時には、通信データが上層から下層に向けて順番に流れて棟内回線１２に出力される。その際、各階層では適宜必要なヘッダが追加される。一方受信時には棟内回線１２から入力された通信データが下層から上層に向けて順番に流れていく。その際、各階層で不要になったヘッダは除去される。
【００５２】
住宅情報端末１３のプロトコルスタックＰＳは、アプリケーション層が最上位に置かれ、その下に順番に、インターホンプロトコル層、ＴＣＰ／ＵＤＰ層、ＩＰ層、データリンク、物理層が置かれている。
【００５３】
アプリケーション層は、住宅情報端末１３の制御プログラムと、情報サービス画面を表示させるブラウザプログラムとが置かれている。
【００５４】
インターホンプロトコル層は、アプリケーション層から制御され、通信相手の情報端末のアプリケーション層との間で各種コマンド信号や応答送信を伝送する。
【００５５】
ここにインターホンプロトコルは、棟内回線１２に対して規定された独自プロトコルであって、情報端末間で相互に伝送されるコマンド信号、応答信号は、送信元識別情報、送信先識別情報、コマンドコード、コマンドパラメータ等にフィールド区分されたフォーマットを有する。識別情報はローカルＩＰアドレスでもよいが、独自の識別情報でもよい。住宅情報端末１３のブラウザ１３ｆは、ＨＴＴＰメッセージ（リクエスト、レスポンス）を伝送するので、インターホンプロトコルのコマンド信号および応答信号は、その内部にＨＴＴＰメッセージを包含させるための仕組みが必要となる。これは、たとえばインターホンプロトコルのコマンド信号や応答信号において、ＨＴＴＰメッセージを示すコードを定義し、そのコマンドパラメータに、ＨＴＴＰメッセージの本体を埋め込む等によって実現できる（図７参照）。
【００５６】
ＴＣＰ／ＵＤＰ層は、送信元の情報端末におけるアプリケーションと、送信先の情報端末におけるアプリケーションとの間で規定される信号伝送を制御する。送信時にはこの層においてインターホンプロトコルの通信データに、通信エラーを回復させるための情報や、送信元、送信先のアプリケーションを特定するポート番号等を含んだヘッダが付加される。なお呼出信号等の制御信号は、確実ではあるが若干低速なＴＣＰによって伝送し、音声信号や映像信号は不確実ではあるが高速なＵＤＰによって伝送することが望ましい。音声信号や映像信号は所定のコーデックにより符号化された形態で伝送するとよい。
【００５７】
ＩＰ層は、送信元の情報端末と、送信先の情報端末との間で規定される中継可能な信号伝送を制御する。送信時にはここで送信元、送信先のローカルＩＰアドレス等を含んだヘッダが付加される。
【００５８】
物理、データリンク層は、ケーブルによって物理的に接続された情報端末間での信号伝送を行う。特にシステム１では棟内回線１２をツイストペア線で構成しているので、ＩＰ層で規定された通信パケット（ＩＰパケット）が、差動シリアル通信によって伝送される。シリアル通信は同期式でも非同期式でもよい。
【００５９】
ゲートウェイ装置１７のプロトコルスタックＰＳは、インターホンプロトコルと広域ネットワークプロトコルとの相互変換のための中継プログラムが最上位に置かれている。そしてその下に、インターホンプロトコル層、ＴＣＰ／ＵＤＰ層、ＩＰ層、データリンク、物理層からなる棟内回線側スタックと、ＨＴＴＰ層、ＴＣＰ／ＵＤＰ層、ＩＰ層、データリンク、物理層からなる広域ネットワーク側スタックとが並列に配置されている。
【００６０】
サーバ装置３のプロトコルスタックＰＳは、電子掲示板のＨＴＭＬファイル等を提供するウェブサーバプログラムが置かれ、その下に、ＨＴＴＰ層、ＴＣＰ／ＵＤＰ層、ＩＰ層、データリンク、物理層が置かれている。
【００６１】
上記のようなプロトコルスタックＰＳを構成した場合、住宅情報端末１３のブラウザプログラムから発信されたＨＴＴＰリクエストは、インターホンプロトコルの通信データに組み込まれた形で、棟内回線１２を通じてゲートウェイ装置１７まで伝送される。ゲートウェイ装置１７の中継プログラムは、そのインターホンプロトコルの通信データからＨＴＴＰリクエストを抽出して、通常のＨＴＴＰリクエストを再構築する。ゲートウェイ装置１７で再構築されたＨＴＴＰリクエストは、広域ネットワーク２を通じてサーバ装置３まで伝送される。
【００６２】
対して、サーバ装置３から発信されたＨＴＴＰレスポンスは、広域ネットワーク２を通じてゲートウェイ装置１７まで伝送される。ゲートウェイ装置１７の中継プログラムは、そのＨＴＴＰレスポンスを組み込んだインターホンプロトコルの通信データを生成する。ゲートウェイ装置１７で生成された通信データは、棟内回線１２を通じて住宅情報端末１３まで伝送される。住宅情報端末１３の制御プログラムは、その通信データからＨＴＴＰレスポンスを抽出してブラウザプログラムに渡す。
【００６３】
このような手順により、住宅情報端末１３とサーバ装置３との間での棟内回線１２を通じたＨＴＴＰリクエスト、レスポンスの伝送が可能になる。
【００６４】
図７は、インターホンプロトコルによる通信データの概略構造を示すフォーマット図である。このように、このようにＨＴＴＰメッセージは、ＨＴＴＰメッセージを示す識別コード（コマンドコード）に続くマンドパラメータとして、インターホンプロトコルの通信データに収容されている。この通信データ２０が、データリンク・物理層によって更に細かいパケットに分割されて棟内回線１２によって伝送される。
【符号の説明】
【００６５】
１        集合住宅用インターホンシステム
１２      インターホン回線
１３      住宅情報端末
１３ａ    表示部
１３ｂ    制御部
１３ｆ    ブラウザ
１３ｇ    回答操作部
１７      ゲートウェイ装置
２        広域ネットワーク
３        サーバ装置
【図１】
2018113070.tif 000003
【図２】
2018113070.tif 000004
【図３】
2018113070.tif 000005
【図４】
2018113070.tif 000006
【図５】
2018113070.tif 000007
【図６】
2018113070.tif 000008
【図７】
2018113070.tif 000009